【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
情報処理端末にコンテンツを送信する情報処理装置であって、
前記情報処理端末が受信した、第１無線通信装置から送信された前記第１無線通信装置を示す第１ＩＤ情報と第２無線通信装置から送信された前記第２無線通信装置を示す第２ＩＤ情報とを、前記情報処理端末から受信する通信部と、
第１コンテンツを前記情報処理端末に配信することにより生じる、前記第１ＩＤ情報に関連付けられた第１対価と、第２コンテンツを前記情報処理端末に配信することにより生じる、前記第２ＩＤ情報に関連付けられた第２対価とに基づいて、前記第１コンテンツと第２コンテンツとのうち少なくとも一方を前記情報処理端末に前記通信部を介して送信する制御部とを備える。
【請求項２】
請求項１に記載の情報処理装置であって、
前記制御部は、前記第１対価と前記第２対価とに基づく優先度に基づいて、前記第１コンテンツと前記第２コンテンツとのうち少なくとも一方を前記情報処理端末に前記通信部を介して送信する。
【請求項３】
請求項２に記載の情報処理装置であって、
前記制御部は、前記優先度に基づいて、前記情報処理端末の表示領域に表示される領域が決定される、前記第１コンテンツと前記第２コンテンツとを前記通信部を介して送信する。
【請求項４】
請求項３に記載の情報処理装置であって、
前記第１コンテンツは、前記情報処理端末の表示領域の第１表示領域に表示され、
前記第２コンテンツは、前記情報処理端末の表示領域の前記第１表示領域とは異なる第２表示領域に表示される。
【請求項５】
請求項２に記載の情報処理装置であって、
前記制御部は、前記情報処理端末のユーザによる選択に基づいて前記優先度が高い前記第１コンテンツが前記情報処理端末の表示領域に表示された場合、前記優先度が前記第１コンテンツよりも低い前記第２コンテンツの受信通知を前記通信部を介して送信する。
【請求項６】
請求項１に記載の情報処理装置であって、
前記制御部は、前記第１無線通信装置が、前記情報処理端末に関連付けられたインスタントメッセージングサービスの第１アカウントとソーシャルネットワークサービスで関係を有する第２アカウントに関連付けられている場合、前記第１コンテンツを前記情報処理端末に前記通信部を介して送信する。
【請求項７】
請求項１または請求項６に記載の情報処理装置であって、
前記制御部は、前記第２無線通信装置が、前記情報処理端末に関連付けられたインスタントメッセージングサービスの第１アカウントとソーシャルネットワークサービスで関係を有しない第３アカウントとが関連付けられている場合、前記情報処理端末のユーザによる選択に基づいて、前記第２コンテンツを前記情報処理端末に前記通信部を介して送信する。
【請求項８】
請求項１に記載の情報処理装置であって、
前記制御部は、前記第１コンテンツまたは前記第２コンテンツのコンテンツ受信通知を、前記第１対価と前記第２対価とに基づく優先度に基づいた態様で表示させる情報を、前記情報処理端末に前記通信部を介して送信する。
【請求項９】
請求項８に記載の情報処理装置であって、
前記優先度に基づいた態様で表示させる情報は、前記情報処理端末のユーザによる前記優先度の高い前記コンテンツ受信通知の削除に基づいて、前記優先度が低い前記コンテンツ受信通知を表示させる情報である。
【請求項１０】
請求項１から請求項９のいずれか一項に記載の情報処理装置であって、
前記第１無線通信装置は、近距離で前記情報処理端末と通信を行う装置であり、
前記第２無線通信装置は、近距離で前記情報処理端末と通信を行う装置である。
【請求項１１】
請求項１から請求項１０のいずれか一項に記載の情報処理装置であって、
前記制御部は、
前記第１コンテンツが前記情報処理端末に送信される場合、前記情報処理端末に関連付けられたインスタントメッセージングサービスの第１アカウントと、前記第１コンテンツに関連付けられた前記第１ＩＤ情報が示す前記第１無線通信装置に関連付けられた前記インスタントメッセージングサービスの第２アカウントとをグループ化し、
前記グループ化された前記第１アカウントの前記情報処理端末に、前記第２アカウントからの前記第１コンテンツに関するメッセージを前記通信部を介して送信する。
【請求項１２】
情報処理端末にコンテンツを送信する情報処理装置の情報処理方法であって、
前記情報処理端末が受信した、第１無線通信装置から送信された前記第１無線通信装置を示す第１ＩＤ情報と第２無線通信装置から送信された前記第２無線通信装置を示す第２ＩＤ情報とを、前記情報処理端末から通信部によって受信し、
第１コンテンツを前記情報処理端末に配信することにより生じる、前記第１ＩＤ情報に関連付けられた第１対価と、第２コンテンツを前記情報処理端末に配信することにより生じる、前記第２ＩＤ情報に関連付けられた第２対価とに基づいて、前記第１コンテンツと第２コンテンツとのうち少なくとも一方を前記情報処理端末に前記通信部によって送信する。
【請求項１３】
情報処理端末にコンテンツを送信する情報処理装置のコンピュータに実行させるプログラムであって、
前記情報処理端末が受信した、第１無線通信装置から送信された前記第１無線通信装置を示す第１ＩＤ情報と第２無線通信装置から送信された前記第２無線通信装置を示す第２ＩＤ情報とを、前記情報処理端末から通信部によって受信し、
第１コンテンツを前記情報処理端末に配信することにより生じる、前記第１ＩＤ情報に関連付けられた第１対価と、第２コンテンツを前記情報処理端末に配信することにより生じる、前記第２ＩＤ情報に関連付けられた第２対価とに基づいて、前記第１コンテンツと第２コンテンツとのうち少なくとも一方を前記情報処理端末に前記通信部によって送信する処理を実行させる。
【手続補正２】
【補正対象書類名】明細書
【補正対象項目名】０００４
【補正方法】変更
【補正の内容】
【０００４】
本発明の第１の態様によると、情報処理端末にコンテンツを送信する情報処理装置であって、情報処理端末が受信した、第１無線通信装置から送信された第１無線通信装置を示す第１ＩＤ情報と第２無線通信装置から送信された第２無線通信装置を示す第２ＩＤ情報とを、情報処理端末から受信する通信部と、第１コンテンツを情報処理端末に配信することにより生じる、第１ＩＤ情報に関連付けられた第１対価と、第２コンテンツを情報処理端末に配信することにより生じる、第２ＩＤ情報に関連付けられた第２対価とに基づいて、第１コンテンツと第２コンテンツとのうち少なくとも一方を情報処理端末に通信部を介して送信する制御部とを備える。
本発明の第２の態様によると、情報処理端末にコンテンツを送信する情報処理装置の情報処理方法であって、情報処理端末が受信した、第１無線通信装置から送信された第１無線通信装置を示す第１ＩＤ情報と第２無線通信装置から送信された第２無線通信装置を示す第２ＩＤ情報とを、情報処理端末から通信部によって受信し、第１コンテンツを情報処理端末に配信することにより生じる、第１ＩＤ情報に関連付けられた第１対価と、第２コンテンツを情報処理端末に配信することにより生じる、第２ＩＤ情報に関連付けられた第２対価とに基づいて、第１コンテンツと第２コンテンツとのうち少なくとも一方を情報処理端末に通信部によって送信する。
本発明の第３の態様によると、情報処理端末にコンテンツを送信する情報処理装置のコンピュータに実行させるプログラムであって、情報処理端末が受信した、第１無線通信装置から送信された第１無線通信装置を示す第１ＩＤ情報と第２無線通信装置から送信された第２無線通信装置を示す第２ＩＤ情報とを、情報処理端末から通信部によって受信し、第１コンテンツを情報処理端末に配信することにより生じる、第１ＩＤ情報に関連付けられた第１対価と、第２コンテンツを情報処理端末に配信することにより生じる、第２ＩＤ情報に関連付けられた第２対価とに基づいて、第１コンテンツと第２コンテンツとのうち少なくとも一方を情報処理端末に通信部によって送信する処理を実行させる。